(57)【要約】【課題】空気内包量の少ないゴムリボン積層体を提供する。【解決手段】、押出機より押し出されたゴムリボンをアプリケータロールよって繰り出し円筒ドラムの外表面に螺旋状に巻回して積層するに当たり、前記ゴムリボンを、減圧雰囲気に保持した空間領域内で巻回すようにする。【選択図】　　　　図１
2004136549.tif 000002
【特許請求の範囲】
【請求項１】
押出機より押し出されたゴムリボンをアプリケータロールよって繰り出し円筒ドラムの外表面に螺旋状に巻回して積層するに当たり、
前記ゴムリボンを、減圧雰囲気に保持した空間領域内にて巻回すことを特徴とするゴムリボン積層体の製造方法。
【請求項２】
回転可能な円筒ドラムと、押出機より押し出されたゴムリボンを円筒ドラムの外表面に繰り出し該ゴムリボンを螺旋状に巻回して積層するアプリケータロールとを備えた装置であって、
前記回転ドラムに、ゴムリボンの巻回し領域を残して取り囲みその内部を減圧雰囲気に保持するチャンバーを配置したことを特徴とするゴムリボン積層体の製造装置。
【発明の詳細な説明】
【０００１】
【発明の属する技術分野】
本発明は、空気入りタイヤの製造において生タイヤを成形するのに好適なゴムリボン積層体の製造方法およびその装置に関するものである。
【０００２】
生タイヤは一般的にトレッド、サイドウオール、インナーライナ等の異なる配合からなる複数種類のゴム部材を予め準備しておき、これらのゴム部材を成形ドラム上で順次に貼り合わせることによって成形されている。
【０００３】
しかしながら、この方法は、ゴム部材の断面サイズが大きくなるため、大型のゴム押出機が必要不可欠であり、また、ゴム押出機に装着する金口をそれぞれのゴム部材に対応させるべく多数準備しなければならないこと、さらには、多品種少量生産の場合には、金口交換を含む段取りが頻繁になるため効率的な生産ができないのが現状であった。
【０００４】
これらの問題に対処すべく、近年では、製品タイヤの内面と同じ外面形状を有する円筒ドラム（ハードコア）を用い、この円筒ドラムの外表面に所定の断面形状になるようにゴムリボンを螺旋状に巻回して生タイヤを成形する方法（コア成形法）が提案されている（例えば特許文献１参照）。
【０００５】
【特許文献１】
特開２００２−１６０２８４号公報。
【０００６】
上記特許文献１に開示の方法は、円筒ドラムの外側にゴムリボンを巻回してまずインナーライナを成形する工程と、ゴム付きビードワイヤを巻回して内側ビードを形成する工程と、該内側ビードの外にカーカス層を編み上げたのち外側ビード層を内側ビード層と同様に形成し引き続いてゴムリボンを巻回してサイドウオールを形成する工程と、さらにベルト層を編み上げてからゴムリボンを巻回してトレッドを形成する工程を経て生タイヤとするものであり、これによれば、矩形断面になる狭幅のゴムリボンを数種類準備するだけでよいので大きな押出機が不用であり、また、多品種少量生産にも容易に対応できる有用な手段とされていた
。
【０００７】
ところで、ゴムリボンを円筒ドラムに巻回して生タイヤを成形する方法は、ゴムリボンを螺旋状に巻回して積層していく際に、その重ね合わせによってリボンの縁部に段差が形成され、先に巻回されたリボンとの間で空隙が生じるのが不可避であり、これを製品タイヤとした場合、該空隙の空気がそのまま残存するため製品タイヤに含まれる空気の内包量が多くなりこれがタイヤ内部の接着不良をもたらす原因になっていた。
【０００８】
本発明の課題は、ゴムリボンを螺旋状に巻回して積層していく場合に生じるのが避けられなかった空隙をより小さくして積層体内部の空気の内包量を少なくできる新規な方法およびその装置を提案するところにある。
【０００９】
【課題を解決するための手段】
本発明は、押出機より押し出されたゴムリボンをアプリケータロールよって繰り出し円筒ドラムの外表面に螺旋状に巻回して積層するに当たり、
前記ゴムリボンを、減圧雰囲気に保持した空間領域内にて巻回すことを特徴とするゴムリボン積層体の製造方法である。
【００１０】
また、本発明は、回転可能な円筒ドラムと、押出機より押し出されたゴムリボンを円筒ドラムの外表面に繰り出して該ゴムリボンを螺旋状に巻回して積層するアプリケータロールとを備えた装置であって、
前記回転ドラムに、ゴムリボンの巻回し領域を残して取り囲みその巻回し領域を減圧雰囲気に保持するチャンバーを配置したことを特徴とするゴムリボン積層体の製造装置である。
【００１１】
【発明の実施の形態】
以下、図面を参照して本発明をより具体的に説明する。
【００１２】
図１は本発明の実施の形態を示したものであり、図における１は駆動源につながり回転駆動可能な円筒ドラム、２はゴムリボンを押し出す押出機である。この押出機２は蛇腹状の自在継手２ａを有しており、その中には図２に示すように押し出されたゴムリボンを円筒ドラム１の外表面に繰り出すアプリケータロール２ｂが配置されていて、押出機２そのものが前後（図中Ｘ方向）、左右（図中Ｙ方向）に移動可能でかつ、θ方向に旋回させることができるようになっている。
【００１３】
また、３はゴムリボンの巻回し領域を残して円筒ドラム１を取り囲む蓋付きのチャンバーである。このチャンバー３は真空ポンプにつながりその内部を減圧雰囲気に維持する排気経路３ａと押出機２の自在継手を気密状態で連結する開口３ｂを有している。
【００１４】
押出機より押し出されたゴムリボンをアプリケータロール２ｂより繰り出して円筒ドラム１に巻回して積層する場合、図３に示すようにゴムリボンＳの縁部には段差ｔが形成され、先に巻回されたリボンとの間で空隙が形成されるのが避けられないが、チャンバー３内を減圧雰囲気に保持してゴムリボンの巻回しを行うと、空隙Ｓ内に存在する空気の絶対量は大気圧で巻回した場合と比較して極端に少なくなるので、タイヤ内部で接着不良が生じる割合も軽減される。
【００１５】
本発明では、円筒ドラム１にゴムリボンを巻回して積層する場合について説明したが、例えば内圧を有する台タイヤの外表面にゴムリボンの積層体を形成する場合にも適用でき、この場合には、形状を保持するため減圧度に応じてタイヤ内の内圧を低下させるのが好ましい。
【００１６】
上掲図１では、図４にその平面を示すようにチャンバー１は押出機２の自在継手２ａの先端を開口３ｂにて連結した場合を例として示したが、これは図５に示す如く予め一体化させたものであってもよく、この点については限定されない。
【００１７】
また、自在継手２ａについては、図１にて示した蛇腹状のものの他、図６（ａ）（ｂ）に示すようなスライド式の自在継手を採用することもできる。
【００１８】
チャンバー１は所望の減圧度に調整できるように、蓋体と本体部分の合わせ面および円筒ドラム１の軸と蓋体との相互間にはシール部材が適宜に配置される。
【００１９】
【実施例】
直径が６５０ｍｍになる円筒ドラムに幅２０ｍｍ、厚さ１．５ｍｍになるゴムリボンを以下の条件で巻回して積層、生タイヤを作製し、さらにこれを加硫、成型して製品タイヤとし該タイヤ一本当たりの空気の内包量及び内包した空気を原因としたタイヤのスクラップ率について調査した。
【００２０】
条件
円筒ドラムの回転数：１００ｒｐｍ
ゴムリボンの重なり代：　５ｍｍ
積層数：１７巻き（幅２６０ｍｍ）
【００２１】
その結果、大気圧のもとで巻回して積層した積層体を用いて製造した製品タイヤでは、タイヤ一本に含まれる空気は約２５ｃｃであり、スクラップ率は３．０％程度であった。
【００２２】
これに対してチャンバー内を３５０ｍｍＨｇまで減圧した場合にはタイヤ一本に含まれる空気は約１０ｃｃ、スクラップ率は０．５％程度であり、５００ｍｍＨｇまで減圧した場合にはタイヤ一本に含まれる空気は約３ｃｃ、スクラップ率は０．０３％程度であって、減圧雰囲気下でゴムリボンを巻回して積層したものでは空気の内包量、スクラップ率が大気圧下で巻回して積層したものに比較して極端に低いことが確認できた。
【００２３】
【発明の効果】
本発明によれば、ゴムリボンを螺旋状に巻回して積層する場合に避けられなかった空隙につき、その内部に含まれる空気の絶対量を少なくできるので、それに起因した製品不良を軽減できる。
【図面の簡単な説明】
【図１】図１は本発明の実施の形態を示す外観斜視図である。
【図２】図１の要部の外観を示した図である。
【図３】ゴムリボンの巻回し状態を示した図である。
【図４】図１の平面を示した図である。
【図５】本発明の他の実施の形態を示した図である。
【図６】（ａ）（ｂ）は自在継手の他の例を示した図である。
【符号の説明】
１　円筒ドラム
２　押出機
２ａ　自在継手
２ｂ　アプリケータロール
３　チャンバー
３ａ　排気経路
３ｂ　開口
Ｓ　ゴムリボン
ｔ　段差
【図１】
2004136549.tif 000003
【図２】
2004136549.tif 000004
【図３】
2004136549.tif 000005
【図４】
2004136549.tif 000006
【図５】
2004136549.tif 000007
【図６】
2004136549.tif 000008